(57)【要約】      （修正有）【課題】サーバー装置の状態に加え、ユーザー装置の夫々の状態に基づきアイコンを表示させることで、使用するユーザーにとって利便性の高いデータ保管システムおよび端末装置を提供する。【解決手段】サーバー装置２にフォルダーの属性を管理する管理部を備え、フォルダーやファイルの変更が生じた場合に、フォルダーに関する属性を変更して保存する。外部に接続されている端末１が、サーバーにアクセスすることで、属性情報を取得し、自己に保存されている内容と比較し、変化があった場合に、表示画面１１の表示を変更して、ユーザーに報知を行う。【選択図】図２
2017182362.tif 000002
【特許請求の範囲】
【請求項１】
図面データを保管する図面サーバーと、前記図面サーバーにネットワークを介して接続する端末装置と、を有するデータ保管システムにおいて、
前記図面サーバーは、
前記図面データをフォルダーに属させて記憶する図面データ記憶手段と、
前記図面データ記憶手段に記憶されている前記フォルダーまたは前記図面データの属性情報であるサーバー側属性情報に変化があった場合に前記サーバー側属性情報を抽出する抽出手段と、
前記抽出手段によって抽出された前記サーバー側属性情報を記憶するサーバーファイル情報記憶手段と、
ユーザーが使用する前記端末装置とデータ通信するサーバー側通信手段と、
前記端末装置からのアクセスの可否を判断する認証手段と、を有し、
前記端末装置は、
前記サーバーの前記図面データ記憶手段からダウンロードした前記フォルダーと前記図面データを記憶するファイル記憶手段と、
前記ファイル記憶手段に記憶されている前記フォルダーと前記図面データの属性情報である端末側属性情報を記憶する端末ファイル情報記憶手段と、
前記図面サーバーとデータ通信する端末側通信手段と、
前記ファイル記憶手段に記憶されている前記フォルダーと前記図面データの一覧を表示する表示手段と、
を有し、
前記端末装置は、前記図面サーバーから前記サーバー側属性情報を取得し、前記表示手段に前記フォルダーと前記図面データの一覧を表示する場合に、前記取得したサーバー側属性情報と前記端末ファイル情報記憶手段に記憶されている前記端末側属性情報とを比較し、一致するものと不一致のものの表示形態を変えて表示することを特徴とするデータ保管システム。
【請求項２】
前記端末装置が前記図面サーバーにアクセスし、前記認証手段によって該アクセスが許可された場合に、前記図面サーバーから前記端末装置に前記サーバー側属性情報を送信することを特徴とする請求項１に記載のデータ保管システム。
【請求項３】
前記図面データを前記図面サーバーに登録する図面登録端末を更に有し、
前記図面登録端末によって、前記図面サーバーの前記図面データ記憶手段に前記図面データを登録した場合であって、前記図面サーバーに前記端末装置がアクセスしている場合には、前記図面サーバーは、前記サーバー側属性情報を前記端末装置に送信することを特徴とする請求項１または請求項２に記載のデータ保管システム。
【請求項４】
図面データを保管する図面サーバーと通信する通信手段と、
前記通信手段によって前記図面サーバーに記憶されている前記図面データと該図面データの属するフォルダーを受信し、該図面データと該フォルダーを記憶するファイル記憶手段と、
前記ファイル記憶手段に記憶されている前記フォルダーと前記図面データの属性情報である端末側属性情報を記憶する端末ファイル情報記憶手段と、
前記ファイル記憶手段に記憶されている前記フォルダーと前記図面データの一覧を表示する表示手段と、
前記通信手段によって前記図面サーバーから前記図面データと前記図面データの属する前記フォルダーとの属性情報であるサーバー側属性情報を受信し、該サーバー側属性情報を記憶する受信データ記憶手段と、
前記受信データ記憶手段に記憶されている前記サーバー側属性情報と前記端末ファイル情報記憶手段に記憶されている前記端末側属性情報とを比較する比較手段と、を有し、
前記表示手段に前記ファイル記憶手段に記憶されている前記フォルダーと前記図面データを表示する場合に、前記比較手段によって比較した結果、前記フォルダーまたは前記ファイルの属性情報が一致するものと不一致のものの表示形態を変えて表示することを特徴とする端末装置。
【発明の詳細な説明】
【技術分野】
【０００１】
本発明は、データを保管するサーバー装置にネットワークを介して接続する端末装置および、端末装置を含むデータ保管システムに関する。
【背景技術】
【０００２】
従来、建築現場や土木工事の現場等では、紙面に印刷された図面をユーザーが使用していた。しかし、そのような現場では、使用する図面が膨大な枚数となる場合があり、紙面の持ち運び、その図面の利用はユーザーの負担が大きかった。
【０００３】
そこで、図面データベースによって管理された、図面データを、手軽に持ち運び出来るタブレット型端末装置等で利用することが考えられている。このような装置を使えば、ユーザーは簡単に図面の閲覧、確認及び加筆・修正を行うことができる。そのため、紙面に印刷された図面を用いた場合に比して、ユーザーの利便性は大いに向上すると考えられる。
【０００４】
また一方、サーバー装置では、例えば特開２０１２‐１２８７２４号公報に記載されている技術のように、ユーザーの利便性を考え、サーバー装置にフォルダーやファイルの属性データに対応したアイコン表示データを記憶した記憶部が備えられ、端末装置にこのアイコン表示データを送信し、端末装置にそれに応じた表示をさせることで、サーバー内のフォルダーやファイルを確認し易くした装置が考案されている。
【先行技術文献】
【特許文献】
【０００５】
【特許文献１】特開２０１２‐１２８７２４号公報
【発明の概要】
【発明が解決しようとする課題】
【０００６】
しかし、特許文献１の技術では、サーバー側からの一方的な情報の伝達であり、使用するユーザー個々の状態や、ユーザー装置個々の状態が反映されるものでは無かった。そのため、ユーザーによっては、表示されるアイコンが、思ったように表示されず、不便である場合があった。
【０００７】
そこで、本願発明は、サーバー装置の状態に加え、ユーザー装置の夫々の状態に基づき表示させることで、使用するユーザーにとって利便性の高いデータ保管システムおよび端末装置を提供する。
【課題を解決するための手段】
【０００８】
本願発明のデータ保管システムは、図面データを保管する図面サーバーと、前記図面サーバーにネットワークを介して接続する端末装置と、を有するデータ保管システムにおいて、前記図面サーバーは、前記図面データをフォルダーに属させて記憶する図面データ記憶手段と、前記図面データ記憶手段に記憶されている前記フォルダーまたは前記図面データの属性情報であるサーバー側属性情報に変化があった場合に前記サーバー側属性情報を抽出する抽出手段と、前記抽出手段によって抽出された前記サーバー側属性情報を記憶するサーバーファイル情報記憶手段と、ユーザーが使用する前記端末装置とデータ通信するサーバー側通信手段と、前記端末装置からのアクセスの可否を判断する認証手段と、を有し、前記端末装置は、前記サーバーの前記図面データ記憶手段からダウンロードした前記フォルダーと前記図面データを記憶するファイル記憶手段と、前記ファイル記憶手段に記憶されている前記フォルダーと前記図面データの属性情報である端末側属性情報を記憶する端末ファイル情報記憶手段と、前記図面サーバーとデータ通信する端末側通信手段と、前記ファイル記憶手段に記憶されている前記フォルダーと前記図面データの一覧を表示する表示手段と、を有し、前記端末装置は、前記図面サーバーから前記サーバー側属性情報を取得し、前記表示手段に前記フォルダーと前記図面データの一覧を表示する場合に、前記取得したサーバー側属性情報と前記端末ファイル情報記憶手段に記憶されている前記端末側属性情報とを比較し、一致するものと不一致のものの表示形態を変えて表示することを特徴とする。
【０００９】
また、本願発明の端末装置は、図面データを保管する図面サーバーと通信する通信手段と、前記通信手段によって前記図面サーバーに記憶されている前記図面データと該図面データの属するフォルダーを受信し、該図面データと該フォルダーを記憶するファイル記憶手段と、前記ファイル記憶手段に記憶されている前記フォルダーと前記図面データの属性情報である端末側属性情報を記憶する端末ファイル情報記憶手段と、前記ファイル記憶手段に記憶されている前記フォルダーと前記図面データの一覧を表示する表示手段と、前記通信手段によって前記図面サーバーから前記図面データと前記図面データの属する前記フォルダーとの属性情報であるサーバー側属性情報を受信し、該サーバー側属性情報を記憶する受信データ記憶手段と、前記受信データ記憶手段に記憶されている前記サーバー側属性情報と前記端末ファイル情報記憶手段に記憶されている前記端末側属性情報とを比較する比較手段と、を有し、前記表示手段に前記ファイル記憶手段に記憶されている前記フォルダーと前記図面データを表示する場合に、前記比較手段によって比較した結果、前記フォルダーまたは前記ファイルの属性情報が一致するものと不一致のものの表示形態を変えて表示することを特徴とする。
【発明の効果】
【００１０】
本発明によれば、ユーザーの使用する端末装置毎にその装置に対応した表示が可能となり、ユーザーにとって容易にデータの内容を確認することができる。
【図面の簡単な説明】
【００１１】
【図１】図１は、本実施形態に係る端末装置を用いたシステムの概略を説明するための図である。
【図２】図２は、本実施形態で用いる端末装置の表示画面を説明するための図である。
【図３】図３は、本実施形態で用いる端末装置の構成を示したブロック図である。
【図４】図４は、本実施形態で用いる図面サーバーの構成を示したブロック図である。
【図５】図５は、本実施形態で用いる図面登録端末装置の構成を示したブロック図である。
【図６】図６は、本実施形態の第１の処理手順を説明するフローチャートである。
【図７】図７は、本実施形態の第２の処理手順を説明するフローチャートである。
【発明を実施するための形態】
【００１２】
図面を用いて、本発明の実施形態を説明する。
【００１３】
図１は、本実施形態に係る端末装置を用いたシステムの概略を説明するための図である。端末装置１は表示画面１１を備えるタブレット型端末装置である。端末装置１は、インターネットなどのネットワーク５を介して図面サーバー２に接続することができる。
【００１４】
本実施形態における端末装置１としてタブレット型端末装置を例に説明するが、ノート型パソコンや携帯電話機等の表示画面上に画像を表示する機能を備えた各種の携帯端末へ適宜に応用できる。この端末装置１は、薄型で比較的軽量であるため、携帯に適しており、例えば、建築現場、土木の作業現場、測量の現場等に持ち込み使用することができる。
【００１５】
図面サーバー２は、図面データを保存している。端末装置１は、図面サーバー２にネットワーク５を介して接続し、図面サーバー２に格納されている図面データを取得し、表示画面１１に表示することができる。
【００１６】
第２モバイル端末４は、端末装置１と同様のタブレット型端末装置である。第２モバイル端末４は、ネットワーク５を介して、図面サーバー２に接続し、記憶されている図面データを取得し、表示することができる。このよに、図面サーバー２は複数のユーザーの端末装置が接続可能であり、複数のユーザーが利用することができる。
【００１７】
図面登録端末３は、図面データを生成し、図面サーバー２に格納する装置である。図面登録端末３は、ＣＡＤなどで作成した図面データや、ＣＡＤなどで作成された図面データを端末装置１で表示可能なＰＤＦなどの形式に変換した図面データなどを、図面サーバー２に登録することができる。
【００１８】
図２は、本実施形態で用いる端末装置の表示画面を説明するための図である。端末装置１は、液晶表示画面などの表示装置を備えている。端末装置１の表示画面１１には、フォルダーやファイルの一覧、図面サーバー２から取得した図面データなどを表示することができる。第１フォルダー表示部２０は、第１タイトルエリア２３に表示されている「Ａ様邸図面」のタイトルで示されているフォルダーの表示である。このフォルダーには、このフォルダーに関連するＡ様邸図面に属する図面などの図書のデータファイルが格納されている。第１フォルダー表示部２０を選択することで、このフォルダーに属するファイルを表示できる。フォルダーは階層構造になっている。
【００１９】
第３フォルダー表示部２２は、第３タイトルエリア２６に表示されている「Ｃ様邸図面」のタイトルで示されているフォルダーである。このフォルダーには、Ｃ様邸図面に属する図面などの図書データのファイルが格納されている。第３フォルダー表示部２２を選択することで、このフォルダーに属するファイルを表示できる。
【００２０】
第２フォルダー表示部２１は、第２タイトルエリア２４に表示されている「Ｂ様邸図面」のタイトルで示されているフォルダーである。このフォルダーには、Ｂ様邸図面に属する図面などの図書データのファイルが格納されている。第２フォルダー表示部２１を選択することで、このフォルダーに属するファイルを表示できる。階層構造になっている。また、この第２フォルダー表示部２１に属するファイルか、または下位階層のフォルダーに何らかの変更があった場合に属性表示エリア２５にはメッセージが表示される。この例では、第１図面というファイルに変更があったことを示している。このように変更がある場合は、第２フォルダー表示部２１の表示態様が、変更の無かったフォルダーと区別できるように、異なるものとなっている。例では、色が変更されている。また、形状を変えても良い。
【００２１】
ロールアップボタン２７とロールダウンボタン２８で、画面に表示しきれていないフォルダーやファイルを、順次表示できるように指示することができる。
【００２２】
次に端末装置について説明する。図３は、本実施形態で用いる端末装置の構成を示したブロック図である。端末装置１の構成を示したブロック図である。この端末装置１は、タブレット型端末装置であり、ＣＰＵ３０、ＲＯＭ３１、ＲＡＭ３２、通信装置３３、表示装置３４、入力装置３５、端末記憶装置３６を備えている。
【００２３】
ＣＰＵ３０は、装置全体を制御するプログラムや、図面表示プログラム等の各種プログラムに従った情報処理を実行することで、端末装置１の各部を統括的に制御する。
【００２４】
ＲＯＭ３１は、ＣＰＵ３０が実行するための各種プログラムや当該プログラムの実行に必要なパラメータ等を記憶したメモリである。
【００２５】
ＲＡＭ３２は、ＣＰＵ３０が処理を行う際に、ワーキングメモリ、データの一時保存などをするメモリである。
【００２６】
通信装置３３は、インターネットなどのネットワークに接続するための通信用インターフェイスである。この通信装置３３を介して図面サーバー２からデジタル図面などのデータを受信することができる。また、図面サーバー２にデータを送信することができる。
【００２７】
表示装置３４は、液晶ディスプレイなどの表示デバイスであり、所定の縮尺で図面データを表示することができる。
【００２８】
入力装置３５は、タッチパネルのことで、表示装置３４の表示画面に触れることで入力することができる。入力装置３５は、ユーザーが指で触れている位置の座標値を所定のサンプリング周期でサンプリングしており、リアルタイムで座標値の時間的変化を追跡することができる。そのため、表示装置３４を指がスライドしていると判断することもできる。
【００２９】
端末記憶装置３６は、例えばハードディスクやＥＥＰＲＯＭなどの大容量記憶媒体を備えている記憶手段である。図面データを拡大・縮小して表示する図面表示プログラム３７を記憶する図面表示プログラム記憶部３７を含む。また、図面データなどのファイルやそのファイルを含む階層分けされたフォルダーを記憶するファイル記憶部３８を含む。また、ファイル記憶部３８に記憶されているフォルダーやファイルなどの属性情報を記憶するファイル情報記憶部３９を含む。属性情報は、ファイルやフォルダーの作成日、更新日、ファイルサイズ、フォルダーサイズ、作成者などの情報を含む。これらのＣＰＵ３０に接続された各要素は、ＣＰＵ３０の制御によって動作する。
【００３０】
端末装置１は、図面サーバー２にアクセスを許可されると、その許可範囲内で図面データをダウンロードし、ダウンロードした図面データを表示することができる。許可範囲は、例えば、プロジェクト単位毎に予め図面サーバー２の管理者によって決められ、設定されている。許可されたユーザーは、そのプロジェクト毎に関連付けされたフォルダーにアクセスできるようになっている。図面サーバー２に、図面登録端末３や第２モバイル端末４によって、新たな図面データや修正データが登録される事がある。端末装置１に格納されている情報が、最新のものか否かは、ユーザーにとって必要な情報である。仮に、最新のものでない場合は、最新のものをダウンロードして取得することが望まれている。
【００３１】
端末装置１が図面サーバー２にログインしたときに、端末装置１に保存されている情報が最新のものか否かが分かれば、それを基に、ユーザーは、最新のものをダウンロードでき、その最新の図面データを使用することができる。
【００３２】
端末装置１のファイル記憶部３８に図面データや修正データやフォルダーが記憶された場合に、その属性情報を抽出して、ファイル情報記憶部３９に格納する。この抽出は、プログラムに基づき、ＣＰＵ３０が動作して実施される。このように、端末装置１は、属性情報の抽出手段の機能も有している。また、端末装置１は、図面サーバー２から取得したサーバー側属性情報と、端末装置１内のファイル情報記憶部３９に記憶されている端末側属性情報とを比較し、一致する部分と、不一致の部分を分ける。すなわち、一致するフォルダーとファイル、不一致のフォルダーとファイルを区別できるように、各フォルダーと各ファイルにこの比較結果を関連付けて記憶する。例えば、フラグ情報を付加する。
【００３３】
表示装置３４は、フォルダーとファイルを、例えば一覧表示など、表示する場合に、この比較の結果に基づき、一致する場合と不一致の場合で表示態様を変えて表示する。例えば、色を変える。また、サイズを変える。また、文字やマークを付加するか否かによって表示形態を変える。
【００３４】
図４は、本実施形態で用いる図面サーバーの構成を示したブロック図である。図面サーバー２の構成を示したブロック図である。
【００３５】
この図面サーバー２は、ＣＰＵ４０、ＲＯＭ４１、ＲＡＭ４２、通信装置４３、表示装置４４、入力装置４５、サーバー記憶装置４６を備えている。
【００３６】
ＣＰＵ４０は、各種プログラムに従った情報処理を実行することで、図面サーバー２の全体を統括的に制御する。
【００３７】
ＲＯＭ４１は、ＣＰＵ４０が実行するための各種プログラムやプログラムの実行に必要な初期値などのパラメータを記憶したメモリである。
【００３８】
ＲＡＭ４２は、ＣＰＵ４０が処理などを行う際に、ワーキングメモリやデータの一時的な記憶をするメモリである。
【００３９】
通信装置４３は、図面サーバー２をインターネットなどのネットワーク５に接続するための通信用インターフェイスである。図面サーバー２は、この通信装置４３を介して図面データを端末装置１へ送信することができる。また、図面サーバー２は、この通信装置４３を介して端末装置１とデータ通信することができる。
【００４０】
表示装置４４は、液晶ディスプレイなどの表示デバイスであり、ＣＰＵ４０で制御する各種図形、文字などのデータを表示できる。
【００４１】
入力装置４５は、キーボード、マウスなどの入力デバイスを備えており、使用者からの操作を受け付ける。
【００４２】
サーバー記憶装置４６は、例えばハードディスクなどの大容量記憶媒体である。ＣＰＵ４０が図面データの管理処理を行うため、図面管理プログラムなどのプログラムを記憶する図面管理プログラム記憶部４７を含む。また、図面データや図面データを変換した表示用図面データなどのファイルを記憶する図面データベース４８を含む。また図面データベース４８はフォルダー毎にそれに属する図面データ等のデータを記憶している。また、図面データベースに記憶されているファイルやフォルダーの属性データを記憶するファイル情報記憶部４９を備える。
【００４３】
図面サーバー２は、アクセスを許可するＩＤとパスワードをサーバー記憶装置４６が記憶している。また、アクセスしてきたユーザーに対して、ＩＤとパスワードの入力をさせ、予め記憶されているものと比較し一致すれば、アクセスを許可し、不一致ならばアクセスを許可しない。また、予め記憶されているＩＤに、アクセスの許可範囲を関連付けて記憶しているので、ログインしたＩＤに対して、アクセスできる範囲を制限している。例えば、アクセスの許可範囲は、ユーザーが関係しているプロジェクト単位で決められている。プロジェクト毎に、関係する図面データや修正情報などの図書情報をフォルダーに関連付けて格納している。すなわち、プロジェクト単位のフォルダーがあり、そのフォルダーにアクセス可能なユーザーを特定していることに他ならない。ユーザーはアクセスが許可されたフォルダー以内のデータをダウンロードできる。
【００４４】
また、図面管理プログラム記憶部４７に記憶されている図面管理プログラムによって、新たに登録された図面データや、修正された情報があった場合に、ファイルおよびフォルダーの属性情報をファイル情報記憶部４９に記憶する。ユーザーはアクセスが許可された範囲で、ファイルとフォルダーの属性情報を取得できる。属性情報は、ファイルやフォルダーの作成日、更新日、ファイルサイズ、フォルダーサイズ、作成者などの情報を含む。端末装置１内に記憶されているデータに基づいて作成された端末側属性情報と、図面サーバー２内に記憶されているデータに基づいて作成されたサーバー側属性情報とを比較することで、最新のファイルあるいはフォルダーであるか否を判断することができる。
【００４５】
図面管理プログラムは、新たに図面データが登録された場合や、修正されたデータが登録された場合に、属性情報を抽出し、更新して記憶する。すなわち、属性情報の抽出手段として機能している。
【００４６】
図５は、本実施形態で用いる図面登録端末装置の構成を示したブロック図である。ネットワーク５に接続された図面登録端末３の構成を示したブロック図である。
【００４７】
この図面登録端末３は、ＣＰＵ５０、ＲＯＭ５１、ＲＡＭ５２、通信装置５３、表示装置５４、入力装置５５、図面登録端末記憶装置５６を備えている。
【００４８】
ＣＰＵ５０は、各種プログラムに従った情報処理を実行することで、図面登録端末３の全体を統括的に制御する。
【００４９】
ＲＯＭ５１は、ＣＰＵ５０が実行するための各種プログラムやプログラムの実行に必要な初期値などのパラメータを記憶したメモリである。
【００５０】
ＲＡＭ５２は、ＣＰＵ５０が処理などを行う際に、ワーキングメモリやデータの一時的な記憶をするメモリである。
【００５１】
通信装置５３は、図面登録端末３をインターネットなどのネットワーク５に接続するための通信用インターフェイスである。図面登録端末３は、この通信装置５３を介して図面データを図面サーバー２へ送信することができる。また、図面登録端末３は、この通信装置５３を介して図面サーバー２とデータ通信することができる。
【００５２】
表示装置５４は、液晶ディスプレイなどの表示デバイスであり、ＣＰＵ５０で制御する各種図形、文字などのデータを表示できる。例えば図面データを表示できる。
【００５３】
入力装置５５は、キーボード、マウスなどの入力デバイスを備えており、ユーザーからの操作を受け付ける。図面データを修正など加工ができる。
【００５４】
図面登録端末記憶装置５６は、例えばハードディスクなどの大容量記憶媒体であり、ＣＰＵ５０が実行する図面表示プログラムなどのプログラムを記憶する図面表示プログラム記憶部５７を備える。また、加工する図面データ、図面サーバー２へ格納する図面データなどのデータを記憶する図面記憶部５８を含む。また、図面データを端末装置１が表示可能なＰＤＦなどの形式に変換する図面変換プログラムを記憶する図面変換プログラム記憶部５９を含む。図面データや図面データを変換した表示用図面データなどのファイルを記憶している。
【００５５】
図６は、本実施形態の第１の処理手順を説明するフローチャートである。端末装置１から図面サーバー２に対してＩＤとパスワードを送信し、図面サーバー２がそのＩＤとパスワードに対して、予め記憶されているＩＤとパスワードのセットと比較を行う。比較の結果不一致ならばログインさせず、一致ならログインを許可する。
【００５６】
まずステップＳ１では、ログインを許可された場合に、端末装置１は、端末記憶装置３６のファイル情報記憶部３９に記憶されている属性情報を図面サーバー２に送信を行う。図面サーバー２は端末装置１のファイル情報記憶部３９に記憶されている属性情報を取得することができる。
【００５７】
次にステップＳ２では、図面サーバー２は、アクセスした端末装置１のアクセス可能な範囲内におけるフォルダーとファイルの属性情報を、図面サーバー２のサーバー記憶装置４６のファイル情報記憶部４９から取り出し、端末装置１に送信する。端末装置１は、図面サーバー２のファイル情報記憶部４９に記憶されているサーバー側属性情報を取得することができる。
【００５８】
次にステップＳ３では、端末装置１において、取得したサーバー側属性情報と、ファイル情報記憶部３９に記憶されている端末側属性情報を比較し、一致するものと不一致のものを抽出する。
【００５９】
次にステップＳ４では、比較の結果に不一致のものが無い場合はステップＳ６へ、ある場合はステップＳ５へ移行する。不一致のものが無い場合は、最新のファイルやフォルダーが無い場合である。ある場合は、最新のファイルやフォルダーがある場合である。
【００６０】
次にステップＳ５では、不一致のものと一致のものを判別できるように各フォルダー、各ファイルに判別するための情報を付加して記憶する。
【００６１】
次にステップＳ６では、表示装置３４に、フォルダーとファイルを表示させる。このとき、不一致の場合と一致する場合が区別可能に表示態様を変えて、例えば色分けして、表示する。
【００６２】
ここで、ステップＳ１の図面サーバー２で処理が必要なければ、省くこともできる。
【００６３】
また、端末装置１が図面サーバー２にアクセス中に、図面データが登録、修正されることが考えられる。このような場合、図面サーバー２は、図面データの登録、修正がされ、サーバー側属性情報の変更があった場合に、サーバー側属性情報の抽出が行われる。サーバー側属性情報が抽出されると、そのサーバー側属性情報を、端末装置１に、送信する。すなわち、ステップＳ２の処理から実行される。
【００６４】
図７は、本実施形態の第２の処理手順を説明するフローチャートである。図面サーバー２側で、最新ファイル等の有無について確認する場合の例である。
【００６５】
先ずステップＳ１１では、端末装置１の端末側属性情報を受信して取得する。
【００６６】
次にステップＳ１２では、端末装置１にアクセスを許可された範囲のサーバー側属性情報を送信する。
【００６７】
次にステップＳ１３では、図面サーバー２において、取得した端末側属性情報と、アクセスを許可された範囲のサーバー側属性情報との比較を行い、一致するものと不一致のものを分ける。
【００６８】
次にステップＳ１４では、比較の結果に不一致のものが無い場合はステップＳ１６へ、ある場合はステップＳ１５へ移行する。不一致のものが無い場合は、最新のファイルやフォルダーが無い場合である。ある場合は、最新のファイルやフォルダーがある場合である。
【００６９】
次にステップＳ１５では、各フォルダー、各ファイルに関連付けて、一致するか不一致であるかを判別する情報を付加した差異情報を作成し、前回の差異情報を更新する。
【００７０】
次にステップＳ１６では、差異情報を端末装置１に送信する。端末装置１では、差異情報を取得する。端末装置１は、ファイル、フォルダーを表示する際に、取得した差異情報に基づいて、一致の場合と不一致の場合とで、フォルダーやファイルの表示態様を変えて表示する。
【００７１】
また、図面サーバー２に判断させる場合は、図面サーバー２の付加が集中した場合に、処理が遅れることが考えられる。
【産業上の利用可能性】
【００７２】
本発明は、サーバーに記憶された図面データを、複数ユーザーで使用する図面管理システムに利用できる。
【符号の説明】
【００７３】
１  端末装置
２  図面サーバー
３  図面登録端末
４  第２モバイル端末
５  ネットワーク
１１  表示画面
２０  第１フォルダー表示部
２１  第２フォルダー表示部
２２  第３フォルダー表示部
【図１】
2017182362.tif 000003
【図２】
2017182362.tif 000004
【図３】
2017182362.tif 000005
【図４】
2017182362.tif 000006
【図５】
2017182362.tif 000007
【図６】
2017182362.tif 000008
【図７】
2017182362.tif 000009